(57)【特許請求の範囲】
【請求項１】
高周波（ＲＦ）インタフェースと、
プロセッサと、
を備える装置であって、
前記プロセッサは、前記装置のダウンリンクデータ処理のレイテンシが、
i)ダウンリンク情報を処理して、それぞれのアンテナポートのリソースエレメントに、単一の直交周波数分割多重（ＯＦＤＭ）シンボルに対する複素変調シンボルをマッピングする第１の処理、及び、
ii)前記ＲＦインタフェースに提示するための、前記それぞれのアンテナポートに対する複素時間領域ＯＦＤＭ信号を、前記それぞれのアンテナポートのリソースエレメントにマッピングされた前記単一のＯＦＤＭシンボルから生成する第２の処理
を行うのに必要な時間量によって決定されるように前記ダウンリンク情報を処理するように構成され、
前記第１の処理は、
ａ．物理チャネルで送信される１つ以上のコードワード内の符号化ビットをスクランブリングするステップと、
ｂ．スクランブリングされた前記符号化ビットに基づいて前記複素変調シンボルを生成するステップと、
ｃ．前記複素変調シンボルを送信レイヤにマッピングするステップと、
ｄ．前記複素変調シンボルを前記それぞれのアンテナポートでの送信のために前記送信レイヤにおいてプレ符号化するステップと、
ｅ．プレ符号化された前記複素変調シンボルを前記それぞれのアンテナポートのリソースエレメントにマッピングするステップ
を含み、
前記ステップａ〜ｅの各々は、一度には１つのＯＦＤＭシンボルにマッピングされる量のデータだけを処理し、
前記第１の処理は、前記符号化ビットをスクランブリングするステップの前に、巡回冗長チェック（ＣＲＣ）生成処理、ターボ符号化処理、サブブロックインターリービング処理、及びレートマッチング処理を前記ダウンリンク情報に対して実行するステップを更に含み、
前記プロセッサは、前記第１及び第２の処理によって、完全なリソースグリッドを形成する最初の１つのＯＦＤＭシンボルに対応する複素時間領域ＯＦＤＭ信号を生成した後は、該リソースグリッドを形成する残りのＯＦＤＭシンボルにそれぞれ対応する複素時間領域ＯＦＤＭ信号が生成されるまで、前記ステップａ〜ｅ及び前記第２の処理だけを反復することからなる、装置。
【請求項２】
前記単一のＯＦＤＭシンボルの逆高速フーリエ変換処理によって前記複素時間領域ＯＦＤＭ信号が生成される、請求項１に記載の装置。
【請求項３】
前記複素時間領域ＯＦＤＭ信号は、複数のＯＦＤＭシンボルについて生成され、かつ、一度には１つのＯＦＤＭシンボルについて生成される、請求項１または２に記載の装置。
【請求項４】
前記装置は、ワイヤレス通信システムの基地局の一部である、請求項１〜３のいずれかに記載の装置。
【請求項５】
前記装置は、ＬＴＥセルラー方式の一部である、請求項１〜３のいずれかに記載の装置。
【請求項６】
ダウンリンクデータ処理のレイテンシが低減されたリソースエレメントマッピングの方法であって、
（Ａ）ダウンリンク情報から一つの直交周波数分割多重（ＯＦＤＭ）シンボルを生成する第１のステップと、
（Ｂ）前記一つのＯＦＤＭシンボルの逆高速フーリエ変換（ＩＦＦＴ）を生成する第２のステップと、
を含み、
前記第１のステップは、
ａ．物理チャネルで送信される１つ以上のコードワード内の符号化ビットをスクランブリングするステップと、
ｂ．スクランブリングされた前記符号化ビットに基づいて複素変調シンボルを生成するステップと、
ｃ．前記複素変調シンボルを送信レイヤにマッピングするステップと、
ｄ．それぞれのアンテナポートでの送信のために前記送信レイヤにおいて前記複素変調シンボルをプレ符号化するステップと、
ｅ．プレ符号化された前記複素変調シンボルを前記それぞれのアンテナポートのリソースエレメントにマッピングするステップ
を含み、
前記第２のステップは、
前記アンテナポートのリソースエレメントにマッピングされたＯＦＤＭシンボルの各々から前記アンテナポートにおいて複素時間領域ＯＦＤＭ信号を生成するステップ
を含み、
前記第１のステップは、前記符号化ビットをスクランブリングする前に、巡回冗長チェック（ＣＲＣ）パリティビットを生成するステップ、ターボ符号化を実行するステップ、サブブロックインターリービングを実行するステップ、及びレートマッチングを実行するステップを更に含み、
前記第１及び第２のステップによって、完全なリソースグリッドを形成する最初の１つのＯＦＤＭシンボルに対応する複素時間領域ＯＦＤＭ信号を生成した後は、該リソースグリッドを形成する残りのＯＦＤＭシンボルにそれぞれ対応する複素時間領域ＯＦＤＭ信号が生成されるまで、前記ステップａ〜ｅ及び前記第２のステップだけを反復する方法。
【請求項７】
逆高速フーリエ変換されたＯＦＤＭシンボルの各々を高周波（ＲＦ）インタフェースに送るステップと、
ダウンリンク信号を生成するステップ
を更に含む、請求項６に記載の方法。
【発明の詳細な説明】
【技術分野】
【０００１】
本発明は、一般にワイヤレス通信に係り、特にＬＴＥダウンリンク実装におけるレイテンシを低減する方法及び／又は装置に関する。
【背景技術】
【０００２】
３ＧＰＰのロングタームエボリューション（ＬＴＥ）規格に準拠した第３世代移動体通信ネットワーク技術を実装するセルラー方式では、従来の規格と比較したとき、高ビットレート及びレイテンシは非常に限定される。高ビットレート及びレイテンシの限定はＬＴＥ準拠システムの開発者にとって様々な障害となる。レイテンシの要求を満たすためには処理が高速である必要がある。高速処理のためには強力なプロセッサが必要とされ、それがプロジェクト予算を増加させる。強力なプロセッサは電力消費をも増加させる。ＬＴＥダウンリンク（ＤＬ）は、リリース８及びリリース９用の３００Ｍｂｐｓ、並びにリリース１０（ＬＴＥ−ＡＤＶＡＮＣＥＤ）用の６００Ｍｂｐｓの２０ＭＨｚの帯域幅用の最大ビットレートを有する。ビットレートはいくつかの移動体ユニット（ユーザ機器又はＵＥと指称される）の間で分離することができる。
【０００３】
図１を参照すると、ダウンリンク（ＤＬ）レイヤ１（Ｌ１）処理方式の主な機能１０を図示した流れ図が示される。機能１０は高周波（ＲＦ）インタフェースに入力を提供する。機能１０は、巡回冗長チェック（ＣＲＣ）処理１２、ターボ符号化処理１４、サブブロックインターリービング及びレートマッチング処理１６、スクランブリング処理１８、変調処理２０、レイヤマッピング及びプレ符号化処理２２、リソースブロック（ＲＢ）マッピング処理２４、及び逆高速フーリエ変換（ＩＦＦＴ）計算処理２６を実行する。リソースブロックマッピング処理２４はリソースグリッド２８を生成する。リソースグリッド２８は直交周波数分割多重（ＯＦＤＭ）シンボル３０を含む。１つのＯＦＤＭシンボル３０はリソースグリッド２８の１カラムである。リソースグリッド２８は通常のサイクリックプレフィックス（ＣＰ）の場合には合計１４カラムを含む。
【発明の概要】
【発明が解決しようとする課題】
【０００４】
３ＧＰＰ  ＬＴＥ規格（第３世代移動体通信システム標準化プロジェクトのセクション６．４；技術仕様グループ無線アクセスネットワーク；進化型ユニバーサル地上無線アクセス（Ｅ−ＵＴＲＡ）；物理チャネルと変調（リリース１０）、ドキュメント３ＧＰＰ  ＴＳ  ３６．２１１  ｖ１０．１．０を参照）によれば、逆高速フーリエ変換（ＩＦＦＴ）計算処理２６が開始される前にリソースブロックマッピング処理２４を含む全ての処理が終了される。規格によれば、リソースグリッド２８が満たされるまでリソースブロックマッピング処理２４は全てのＵＥのために終了される。リソースグリッド２８が満たされているときに限り、ＩＦＦＴ計算処理２６がＯＦＤＭシンボル３０で実行される。ＲＦインタフェースに提示するための第１のＯＦＤＭシンボル３０が準備ができる（即ち、逆高速フーリエ変換（ＩＦＦＴ）計算処理２６が第１のＯＦＤＭシンボルで実行される）まで、ダウンリンクデータ処理のためのレイテンシはＣＲＣ処理１２によるＣＲＣビットの生成から測定される。逆高速フーリエ変換（ＩＦＦＴ）計算処理２６を開始する前に全てのＵＥのための全ての処理が完全に終了される必要があるので、３ＧＰＰ  ＬＴＥ規格による実装は、ＲＦインタフェースのための第１のＯＦＤＭシンボルの準備ができるまでに多くの処理を必要とする。
【０００５】
ＬＴＥダウンリンク実装におけるレイテンシを低減する方法を実現することが望まれる。
【課題を解決するための手段】
【０００６】
本発明は、プロセッサ及び高周波（ＲＦ）インタフェースを含む装置に関する。プロセッサは、装置のレイテンシがＲＦインタフェースに提示するための単一の直交周波数分割多重（ＯＦＤＭ）シンボルを得るためにダウンリンク情報を処理することに関わる時間の合計によって決定されるように、ダウンリンク情報を処理するように構成される。
【０００７】
本発明の目的、特徴及び利点は、（ｉ）シングル及びマルチユーザシステムのために同様に実現され、（ｉｉ）ＲＦインタフェースに提示するための第１のＯＦＤＭシンボルを準備するために要する時間の合計を最小限に抑え、及び／又は（ｉｉｉ）低減された処理能力及び電力消費を持ったＬＴＥダウンリンク実装を許可する、低減されたレイテンシを持ったＬＴＥダウンリンク実装のための方法を提供することを含む。
【０００８】
本発明のこれらと他の目的、特徴及び利点は、以下の明細書、添付された特許請求の範囲及び図面から明らかになる。
【図面の簡単な説明】
【０００９】
【図１】従来のダウンリンク処理を示す図である。
【図２】本発明の実施の形態が実現されたシステムを示す図である。
【図３】本発明の実施の形態によるダウンリンクチャネルの処理で利用されるコンポーネントの一例を示す図である。
【図４】本発明の実施の形態の一例による処理装置を示す図である。
【図５】本発明の実施の形態の一例による処理の一例を示す流れ図である。
【発明を実施するための形態】
【００１０】
図２を参照すると、本発明の実施の形態の一例によって実現された通信システムを図示したシステム１００の図が示される。システム１００はワイヤレス通信システムを実現する。一例では、システム１００は、３ＧＰＰのロングタームエボリューション（ＬＴＥ）規格に準拠した第３世代セルラー方式を実現する。システム１００は、一般に少なくとも１つの基地局１０２及び複数の移動体ユニット１０４を備える。基地局１０２は、ダウンリンクチャネル１０６を通じて移動体ユニット１０４に信号を送信する。移動体ユニット１０４のそれぞれは、アップリンクチャネル１０８を通じて基地局１０２に信号を送信する。システム１００も複数の基地局１０２で実現される。基地局１０２は処理装置１１０を含む。移動体ユニット１０４のそれぞれは処理装置１２０を含む。処理装置１１０及び１２０は、基地局１０２と移動体ユニット１０４との間の通信を管理するように構成される。
【００１１】
処理装置１１０は、直交周波数分割多重（ＯＦＤＭ）シンボルのパイプでリソースエレメントマッピングするためのインターリーブダウンリンク処理を実行するように構成される。一例では、プロセッサ１１０は、本発明によるダウンリンク処理を実行するためにハードウェアを実現する。別の一例では、本発明によるダウンリンク処理は処理装置１１０上で実行されたソフトウェアによって実行される。一例では、本発明によるダウンリンク処理を実行するソフトウェアは、フラッシュメモリ又は他の不揮発性メモリ（例えば、プログラム可能リードオンリメモリ（ＰＲＯＭ）、電気的消去可能プログラム可能リードオンリメモリ（ＥＰＲＯＭ）、電気的消去可能プログラム可能リードオンリメモリ（ＥＥＰＲＯＭ）、バブルメモリ、ディスク、又はディスク媒体等）に書き込まれる。更に、動的ランダムアクセスメモリ（ＤＲＡＭ）又は静的ランダムアクセスメモリ（ＳＲＡＭ）等の揮発性メモリでさえ用いられる。例えば、ソフトウェアは電源投入時に不揮発性記憶媒体からロードされる。
【００１２】
図３を参照すると、システム１００のダウンリンク信号１０６を処理する際に基地局１０２によって利用されるコンポーネントの一例を図示した図が示される。一般に基地局１０２は、一例では、移動体ユニット１０４によって用いられるダウンリンク信号１０６を生成する。チャネル１３０は、例えば、ワイヤレスチャネルとして実現される。一例では、チャネル１３０は、移動体通信チャネル（例えば、３ＧＰＰ  ＬＴＥネットワーク等）として実現される。一例では、基地局１０２はダウンリンク処理コンポーネント１４０及び高周波インタフェースコンポーネント１４２を含む。ダウンリンク処理コンポーネント１４０は、図２のプロセッサ１１０を含む。
【００１３】
図４を参照すると、本発明の好適な実施の形態によるリソースエレメントマッピングを実現するように構成された処理装置２００の一例を図示したブロック図が示される。一例では、図１の処理装置１１０は処理装置２００を用いて実現される。処理装置２００は、限定されるものではないが、ブロック（又はモジュール）２０２、ブロック（又はモジュール）２０４、ブロック（又はモジュール）２０６、ブロック（又はモジュール）２０８、ブロック（又はモジュール）２１０、及びブロック（又はモジュール）２１２を含む。ブロック２０２は、一例では、組込み型プロセッサ（例えば、ＡＲＭ等）として実現される。ブロック２０４はリードオンリメモリ（ＲＯＭ）として実現される。ブロック２０６はランダムアクセスメモリ（ＲＡＭ）を備える。ブロック２０８はデジタル信号プロセッサ（ＤＳＰ）を実現する。ブロック２１０は、一例では、アナログ／ＲＦユニット（例えば、トランシーバ）として実現される。別の一例では、ブロック２１０は別々のトランスミッタ及びレシーバを実現する。ブロック２１２はアンテナ（例えば、セルラーアンテナ等）を実現する。ブロック２１０はアンテナ２１２を通じて情報を送受信するように構成される。ブロック２０２〜２１０は相互に１つ以上のバスを用いて接続される。一例では、ブロック２０４は、ここに示された教示によるプロセッサ２０２及び／又はプロセッサ２０８を制御するためのコンピュータ実行命令を格納する。
【００１４】
図５を参照すると、本発明の実施の形態の一例による処理３００を図示した流れ図が示される。処理３００は、直交周波数分割多重（ＯＦＤＭ）シンボルのパイプでリソースエレメントマッピングするための反復ダウンリンク処理を実現する。処理（又は方法）３００は、ステップ（又は状態）３０２、ステップ（又は状態）３０４、ステップ（又は状態）３０６、ステップ（又は状態）３０８、ステップ（又は状態）３１０、ステップ（又は状態）３１２、ステップ（又は状態）３１４、及びステップ（又は状態）３１６を備える。ステップ３０２は巡回冗長チェック（ＣＲＣ）生成処理を備える。ステップ３０４はターボ符号化処理を備える。ステップ３０６はサブブロックインターリービング及びレートマッチング処理を備える。ステップ３０８はスクランブリング処理を備える。ステップ３１０は変調処理を備える。ステップ３１２はレイヤマッピング及びプレ符号化処理を備える。ステップ３１４はリソースブロック（ＲＢ）マッピング処理を備える。ステップ３１６は逆高速フーリエ変換（ＩＦＦＴ）計算処理を備える。
【００１５】
巡回冗長チェック（ＣＲＣ）生成処理３０２は、一般にいくつかのＣＲＣパリティビットを生成する。リソースブロックマッピング処理３１４は、一般に単一の直交周波数分割多重（ＯＦＤＭ）シンボル３１８を生成する。複数のＯＦＤＭシンボル３１８は図１のリソースグリッド２８に類似するリソースグリッドを形成するために組み合わせられる。例えば、１つのＯＦＤＭシンボル３１８はリソースグリッドのカラムを形成する。一例では、リソースグリッドは通常のサイクリックプレフィックス（ＣＰ）の場合には合計１４カラムを備える。しかしながら、カラムの他の数は、特定の実施の形態（例えば、拡張ＣＰの場合）のその設計基準を満たすために適宜実現される。一般に、本発明の実施の形態の一例によって実現された処理３００は、ＯＦＤＭシンボル３１８のそれぞれのためのＩＦＦＴ計算処理３１６を実行する前にリソースグリッドが完全に形成されるまで待たない。
【００１６】
処理３００は一般にステップ３０２で開始する。ステップ３０２では、処理３００は、例えば、前もって定義されたサイクリック生成多項式を用いて、入力シーケンスのためにいくつかのパリティビットを生成する。巡回冗長チェック（ＣＲＣ）生成処理３０２が終了するとき、処理３００は、移動体ユニット１０４に送信されるデータブロックでターボ符号化を実行するステップ３０４に移行する。ターボ符号化処理が終了するとき、処理３００はステップ３０６に移行する。ステップ３０６では、処理３００はサブブロックインターリービング及びレートマッチング動作を実行する。サブブロックインターリービング及びレートマッチング動作が終了されるとき、処理３００はステップ３０８に移行する。
【００１７】
ステップ３０８では、処理３００は、一般に実現されている特定のワイヤレス通信規格によるビットをスクランブリングするスクランブリング動作を実行する。例えば、３ＧＰＰ  ＬＴＥ規格はコードワードでスクランブリングを実行することを指示する。しかしながら、本発明の実施の形態の一例によって実現された処理３００は、一般に反復のそれぞれにおけるビットの一部のみでスクランブリングを実行する。スクランブリング処理が終了するとき、処理３００は一般にステップ３１０に移行する。ステップ３１０では、処理３００は一般にスクランブリングされたビットのブロックを変調する。一例では、スクランブリングされたビットのブロックは３ＧＰＰ  ＬＴＥ規格のセクション７．１に従って変調される。例えば、変調は３ＧＰＰ  ＬＴＥ仕様書の表６．３．２．−１に示された変調スキームの１つを用いる。変調処理は、一般に複素変調シンボルのブロックをもたらす。変調動作が終了されたとき、処理３００は一般にステップ３１２に移行する。
【００１８】
ステップ３１２では、送信されるコードワードのそれぞれのためのステップ３１０で生成された複素変調シンボルは、一般に１つ以上のレイヤにマッピングされる。単一のアンテナポート又は複数のアンテナポートを用いて、送信が実行されても、マッピングは考慮される。一例では、変調されたシンボルは、３ＧＰＰ  ＬＴＥ多重化とチャネルコーディング仕様書（３ＧＰＰ  ＴＳ  ３６．２１２  ｖ１０．１．０（２０１０−３））の、セクション６．３．３．１又は６．３．３．３の１つに従ってレイヤにマッピングされる。レイヤマッピング処理３１２に続いてプレ符号化処理を実行する。一例では、プレ符号化処理は、レイヤマッピングからベクトルの入力ブロックを受けて、１つ以上のアンテナポートのそれぞれでリソースにマッピングされるベクトルのブロックを生成する。一例では、ステップ３１２で実行されたプレ符号化処理は、３ＧＰＰ  ＬＴＥ規格のセクション６．３．４に記載される処理に準拠する。レイヤマッピング及びプレ符号化処理が終了したとき、処理３００はステップ３１４に移行する。
【００１９】
ステップ３１４では、処理３００は、一般にリソースエレメント（ＲＥ）に対する先のステップで生成された複素シンボルのブロックをマッピングする。特に処理３１４は、一般に単一のＯＦＤＭシンボルに複素シンボルをマッピングする。単一のＯＦＤＭシンボルのリソースエレメントがマッピングされたとき、逆高速フーリエ変換処理がＯＦＤＭシンボルで実行される場合、処理３００は一般にステップ３１６に移行する。逆高速フーリエ変換処理３１６の終了に際して、処理３００は、一例では、第２のＯＦＤＭシンボルの処理を開始するためにステップ３０８に戻る。別の一例では、処理３００は、次のＯＦＤＭシンボル処理を開始するステップ３０２に戻る。また、処理３１６は、事前に定義された基準（例えば、ＵＥの数、所望のデータレート等）に基づいてステップ３０２又はステップ３０８に戻るべきか否かを判断する決定処理を含む。一例では、処理３１６は、ループ１（例えば、図５のライン３２０によって図示される）を通じて処理３０８に戻る。別の一例では、処理３１６は、ループ２（例えば、図５のライン３２２によって図示される）を通じて処理３０２に戻る。
【００２０】
本発明による処理は、一般にシングル又はマルチユーザ送信のいずれかのＯＦＤＭシンボルのパイプでリソースエレメントマッピングを実現するソリューションを提供する。全データセットを処理し、ＩＦＦＴ処理に先立ってリソースグリッドの全てのリソースブロックを満たす代わりに、第１のＯＦＤＭシンボルがＲＦインタフェースのための準備ができるとすぐに、本発明による処理は一般にＩＦＦＴ処理を開始する。１つのＯＦＤＭシンボルを処理した後に、ダウンリンク（ＤＬ）トランスミッタの処理は、一般に反復処理を用いて、ＲＦインタフェースのために次のＯＦＤＭシンボルを処理することによって継続する。１つだけのＯＦＤＭシンボルを満たした後にＩＦＦＴ処理を開始することによって、本発明は、著しくダウンリンクレイヤ１処理とＲＦインタフェースとの間のレイテンシを低減する。一般に、本発明によるシステムは、３ＧＰＰ  ＬＴＥ規格に記載される実装の代わりに各反復の１つのＯＦＤＭシンボルにマッピングされるデータのみを処理することによって、レイヤ１ＤＬレイテンシを著しく低減する。
【００２１】
一般に、処理チェーンのブロックのそれぞれは、１つのＯＦＤＭシンボルにマッピングされたデータ量のみを処理するように構成される。通常のＣＰのために合計１４のＯＦＤＭシンボルがあるので、送信時間インターバル（ＴＴＩ）の反復の数は１４に等しい。ＩＦＦＴは反復のそれぞれのために計算され、前述の通り、第１のＯＦＤＭシンボルが処理されるまで、レイテンシはＣＲＣ計算の開始から測定される。第１の反復においては、第１のＯＦＤＭシンボルがＩＦＦＴを含んで処理されるので、本発明による方法は一般にレイテンシを最小限に抑える。
【００２２】
一例では、ＯＦＤＭシンボルのそれぞれのためのデータのパイプはスクランブリングブロックで開始され、次のブロック（例えば、スクランブリング、変調、レイヤマッピング及びプレ符号化、ＲＢマッピング）のレイテンシは、１／１４（ＴＴＩの１４のＯＦＤＭシンボルのうちの１つのＯＦＤＭシンボル）の係数だけ低減される。高データレート及び少数のＵＥ（それらは共通ケースである）の別の一例では、ＯＦＤＭシンボルのそれぞれのためのデータのパイプは、ＤＬ処理の最初から開始される（例えば、図５のループ２と付されたライン３２２によって図示される）。ループ３２２が実現されるとき、ＤＬ処理のブロックのそれぞれのレイテンシは、ほぼ１／１４（ＴＴＩの１４のＯＦＤＭシンボルのうちの１つのＯＦＤＭシンボル）の係数だけ低減される。一般に、レイテンシは９０％以上低減される。
【００２３】
処理３００は、全データを処理し、全てのリソースブロックをリソースグリッドに満たす代わりに、１又はマルチユーザ送信の場合にＯＦＤＭシンボルのパイプでリソースエレメントマッピングを実現するソリューションを提供する。１つのＯＦＤＭシンボルを処理した後に、本発明の実施の形態によるＤＬトランスミッタによって実行された処理は、ＲＦインタフェースに達するまで次のブロックで継続する。１つのＯＦＤＭシンボルを満たした後にＩＦＦＴ計算を開始することは、著しくダウンリンクレイヤ１処理とＲＦインタフェースとの間のレイテンシを低減する。本発明の実施の形態はハードウェア（ＨＷ）及び／又はソフトウェア（ＳＷ）の両方で実現される。本発明の実施の形態はＬＴＥ多重アンテナ送信の全てのケースのために実現される。提案された発明は、一般に全てのリソースグリッドを与えられたＴＴＩのリソースブロックマッピングで満たす前に、ＤＬデータでＩＦＦＴ処理が既に開始されたと判断することによって識別することができる。
【００２４】
図５のダイヤグラムによって実行される機能は、従来のメインプロセッサ、デジタルコンピュータ、マイクロプロセッサ、マイクロコントローラ、ＲＩＳＣ（縮小命令型コンピュータ）プロセッサ、ＣＩＳＣ（複雑命令セットコンピュータ）プロセッサ、ＳＩＭＤ（単一命令多重データ）プロセッサ、信号プロセッサ、中央演算処理装置（ＣＰＵ）、算術論理演算装置（ＡＬＵ）、ビデオデジタル信号プロセッサ（ＶＤＳＰ）、及び／又は関連する技術分野における当業者に明らかであろうように本明細書の教示に従ってプログラムされた同様の計算機の１つ以上を用いて実現される。適切なソフトウェア、ファームウェア、符号化、ルーチン、命令、オペコード、マイクロコード、及び／又はプログラムモジュールもまた、関連する技術分野における当業者に明らかであろうように本明細書の教示に基づいて熟練したプログラマによって容易に準備される。ソフトウェアは、一般に機械実装のプロセッサの１つ以上によって１つの媒体又は複数の媒体から実行される。
【００２５】
本発明は、またＡＳＩＣ（特定用途向け集積回路）、プラットホームＡＳＩＣ、ＦＰＧＡ（フィールドプログラマブルゲートアレイ）、ＰＬＤ（プログラマブルロジックデバイス）、ＣＰＬＤ（コンプレックスプログラマブルロジックデバイス）、シーゲート、ＲＦＩＣ（高周波集積回路）、ＡＳＳＰ（特定用途専用標準品）、１つ以上のモノリシック集積回路、１つ以上のチップ又はダイに配置されたフリップチップモジュール及び／又はマルチチップモジュールによって、又はここで説明されるように従来の構成回路の適切なネットワークを相互に接続することによって実現され、それらの修正は、技術分野における当業者に容易に明らかである。
【００２６】
本発明は、また本発明による１つ以上のプロセス又は方法を行うように機械をプログラムするために用いられる命令を含むコンピュータ製品である記憶媒体又は媒体及び／又は送信媒体又は媒体を含む。コンピュータ製品に包含される命令の機械による実行は、回路素子を取り巻く動作に加えて、入力データを記憶媒体で１つ以上のファイル、及び／又はオーディオ及び／又はビジュアルな描写のような物理オブジェクト又は実体の典型である１つ以上の出力信号に変換する。記憶媒体は、限定されるものではないが、フロッピー（登録商標）ディスク、ハードドライブ、磁気ディスク、光ディスク、ＣＤＲＯＭ、ＤＶＤ、及び光磁気ディスクを含む如何なるタイプのディスク、及びＲＯＭ（リードオンリメモリ）、ＲＡＭ（ランダムアクセスメモリ）、ＥＰＲＯＭ（電気的消去可能プログラム可能リードオンリメモリ）、ＥＥＰＲＯＭ（電気的消去可能プログラム可能リードオンリメモリ）、ＵＶＰＲＯＭ（紫外線消去可能プログラム可能リードオンリメモリ）、フラッシュメモリ、磁気カード、光カードのような回路、及び／又は電子命令の格納のために適切な如何なるタイプの媒体を含む。
【００２７】
本発明のエレメントは、１つ以上のデバイス、ユニット、コンポーネント、システム、機械及び／又は装置の一部又は全てを構成する。デバイスは、限定されるものではないが、サーバー、ワークステーション、記憶アレイコントローラ、記憶システム、パーソナルコンピュータ、ラップトップコンピュータ、ノートブックコンピュータ、パームコンピュータ、携帯情報端末、携帯電子デバイス、バッテリ駆動デバイス、セットトップボックス、エンコーダ、デコーダ、トランスコーダ、コンプレッサ、デコンプレッサ、プリプロセッサ、ポストプロセッサ、トランスミッタ、レシーバ、トランシーバ、サイファ回路、携帯電話、デジタルカメラ、ポジショニング及び／又はナビゲーションシステム、医療機器、ヘッドアップ表示装置、ワイヤレスデバイス、オーディオ録音、記憶及び／又は再生装置、ビデオ録画、記憶及び／又は再生装置、ゲームプラットホーム、周辺装置及び／又はマルチチップモジュールを含む。関連する技術分野における当業者は、特定用途の基準を満たす他のタイプのデバイスで、本発明のエレメントが実現されることを理解するであろう。
【００２８】
本発明は、特にその好適な実施の形態に関して表され説明されたが、本発明の範囲から逸脱することなく、形式と細部の様々な変更なし得るであろうことが当業者によって理解されるであろう。
【図１】
0005919029.tif 000002
【図２】
0005919029.tif 000003
【図３】
0005919029.tif 000004
【図４】
0005919029.tif 000005
【図５】
0005919029.tif 000006